(57)【特許請求の範囲】
【請求項１】
対向する第１及び第２のデータ伝送装置が主伝送回線及びバックアップ回線を収容しており、上記第１及び第２のデータ伝送装置内のバックアップ制御部がそれぞれ、伝送状態による上記主伝送回線の異常検出時に上記バックアップ回線を通じた伝送に切替制御すると共に、上記第１及び第２のデータ伝送装置内の試験実行部がそれぞれ、外部装置又は対向する上記データ伝送装置からのループ試験指令に応じたループ試験を実行させるようになされたデータ伝送システムにおいて、
上記バックアップ回線を通じた伝送に切替えるための上記主伝送回線の異常に基づく切替要件の成立時に、上記バックアップ回線を通じた伝送に切替るか否かを規定する切替許可情報を格納する切替許可情報格納部を上記各バックアップ制御部に設け、上記各バックアップ制御部が、格納されている切替許可情報をも参照して切替えの実行、非実行を決定すると共に、
指令されたループ試験の種類に応じて、そのループ試験の開始前及び又は終了後に、上記バックアップ制御部内の切替許可情報格納部に格納されている切替許可情報の内容を操作する切替許可情報操作部を、上記各試験実行部に設け、
指令されたループ試験の種類がバックアップ回線への切替構成が正常に機能するかを検出するためのローカルループ試験のときにおいて、第１のデータ伝送装置内の試験実行部は、当該第１のデータ伝送装置内の切替許可情報格納部に格納されている切替許可情報を切替許可と維持すると共に、対向する第２のデータ伝送装置内の試験実行部によって第２のデータ伝送装置内の切替許可情報格納部に格納されている切替許可情報を特殊切替許可に設定させた上、上記第１のデータ伝送装置内の試験実行部は、主伝送回線に接続されるデータ伝送部に所定の折り返しループを設定させ、
ローカルループ試験が終了すると、上記第１のデータ伝送装置内の試験実行部は、当該第１のデータ伝送装置内の切替許可情報格納部に格納されている切替許可情報を切替許可と維持させたまま、上記第２のデータ伝送装置内の試験実行部に試験終了を通知して上記第２のデータ伝送装置内の切替許可情報格納部に格納されている切替許可情報を切替許可に復帰させる
ことを特徴とするデータ伝送システム。
【請求項２】
上記各切替許可情報操作部が、主伝送回線でのリモートループ試験の最中にはバックアップ回線への切替えが実行されないように、上記各切替許可情報格納部に格納されている切替許可情報を操作することを特徴とする請求項１に記載のデータ伝送システム。
【発明の詳細な説明】
【０００１】
【産業上の利用分野】
本発明は、主伝送回線（例えば専用回線）の回線断や回線品質異常（伝送誤りが多い状況）等の異常時において、主伝送回線を、バックアップ回線（例えば電話回線又はＩＳＤＮ回線）に切り替えるダイヤルバックアップ機能を有するデータ伝送システムに適用して好適なものである。
【０００２】
【従来の技術】
専用回線を用いたデータ伝送システムの中には、専用回線異常時に、バックアップ回線（例えば電話回線又はＩＳＤＮ回線）に切り替えるダイヤルバックアップ機能を有する図２に詳細を示すものがある。
【０００３】
このようなデータ伝送システムにおいて、常時は、専用回線データ伝送装置（ＤＣＥ）２Ａ、２Ｂ内の後述する試験情報挿脱部１６Ａ、１６Ｂ及び使用回線切替部１２Ａ、１２Ｂを介して、外部のデータ端末（ＤＴＥ）１Ａ、１Ｂがモデム部（Ｍ／Ｄ）１０Ａ、１０Ｂに接続されており、専用回線３を介したデータ伝送が適宜実行されるようになされている。
【０００４】
専用回線３を介したデータ伝送の実行中において専用回線３に回線断や回線品質異常等の異常が生じると、モデム部（ここでは１０Ａとする）がバックアップ制御部１３Ａに回線異常を通知する。このとき、バックアップ制御部１３Ａは、モデム部１０Ａを制御して専用回線３を用いた伝送動作を終了させると共に、ターミナルアダプタ部１１Ａを制御してバックアップ回線であるＩＳＤＮ回線４に対するダイヤル動作からのリンク確立動作を実行させ、ＩＳＤＮ回線４上でリンクが確立すると、バックアップ制御部１３Ａは、使用回線切替部１２Ａを制御して、データ端末１Ａとターミナルアダプタ部１１Ａとを接続させてＩＳＤＮ回線４を介したデータ伝送を実行させる。
【０００５】
一方、対向する専用回線データ伝送装置２Ｂにおいては、ターミナルアダプタ部１１Ｂが着呼を検出すると、バックアップ制御部１３Ｂに通知し、バックアップ制御部１３Ｂが専用回線３を介したデータ伝送の実行中の着呼であることを確認すると、ターミナルアダプタ部１１ＢにＩＳＤＮ回線４でのリンク確立を実行させると共に、バックアップ制御部１３Ｂは、使用回線切替部１２Ｂを制御して、データ端末１Ｂとターミナルアダプタ部１１Ｂとを接続させてＩＳＤＮ回線４を介したデータ伝送を実行させる。
【０００６】
ところで、このような複数の構成要素でなるデータ伝送システムにおいては、専用回線３上でのリンクの中断を未然に防止したり、各部が正常に動作し得る状態になっていることを確認すると共に、異常箇所があればその場所を切り分けたりできるようにループ試験が実行できるようになされている。ここで、ループ試験としては、制御側の専用回線データ伝送装置２Ａのモデム部１０Ａの専用回線３との接続点Ｘで試験パターンを折返すローカルループ試験と、制御側の専用回線データ伝送装置２Ａからの試験パターンを、被制御側の専用回線データ伝送装置２Ｂのモデム部１０Ｂの専用回線３との接続点Ｙ側又はモデム部１０Ｂの端末点Ｚ側で折返すリモートループ試験とがある。
【０００７】
例えば、ネットワーク管理装置５からのループ試験指令が制御側の専用回線データ伝送装置２Ａの制御部１４に与えられると、制御部１４が、例えばＩＴＵ（国際電気通信連合）勧告のＶ．５４に従っている試験実行部１５Ａを起動し、試験実行部１５Ａは、その指令内容に応じて、試験情報挿脱部１６Ａを介してモデム部１０Ａを制御したり、試験情報挿脱部１６Ａ、使用回線切替部１２Ａ、モデム部１０Ａ、専用回線３、モデム部１０Ｂ、使用回線切替部１２Ｂ及び試験情報挿脱部１６Ｂを介して対向する試験実行部１５Ｂに試験内容を通知したりして、所定の折り返しループを設定させた後、試験パターンの送出、受信及び照合を行なって試験を実行する。
【０００８】
【発明が解決しようとする課題】
しかしながら、従来のダイヤルバックアップ機能を有するデータ伝送システムにおいては、バックアップ制御動作と、試験制御動作が独立して実行されるため、以下のような課題を有するものであった。
【０００９】
リモートループ試験の最中においても、専用回線３にＩＳＤＮ回線（バックアップ回線）４への切替要件を満たす異常が生じると、バックアップ制御部１３Ａは、モデム部１０Ａを制御して専用回線３を用いた伝送動作を終了させると共に、ＩＳＤＮ回線４への切替えを実行する。この場合においては、被制御側の専用回線データ伝送装置２Ｂは、専用回線３上のＣＤ（データチャネル受信キャリアキャリア）信号がオフとなったことにより、上記Ｖ．５４勧告通りに、通信動作に従って試験動作を終了させる。一方、制御側の専用回線データ伝送装置２Ａについては、専用回線３上のＣＤ信号がオフになった場合の勧告は規定されていないが、従来においては、試験実行部１５Ａが、どのような異常でも検出できるようになされているため、このような場合にも試験を継続実行する。
【００１０】
しかし、試験の実行者であるネットワーク管理者からみれば、試験が強制終了されないので、試験が実行されていると認識するが、この場合のリンク確立回線はバックアップ回線になっていてそのことを認識することができない。従って、正しい試験結果を得られず、ネットワーク管理者が試験結果を正しく解析することができず、混乱を生じることがあった。
【００１１】
また、試験情報挿脱部１６Ａ、１６Ｂが使用回線切替部１２Ａ、１２Ｂよりデータ端末１Ａ、１Ｂ側に設けられている場合には、リモートループ試験中のバックアップ回線（ＩＳＤＮ回線）４への切替後に、試験パターンがバックアップ回線（ＩＳＤＮ回線）４に流れて、当該データ伝送システムを誤動作させる恐れがあった。
【００１２】
【課題を解決するための手段】
かかる課題を解決するため、本発明は、対向する第１及び第２のデータ伝送装置が主伝送回線及びバックアップ回線を収容しており、第１及び第２のデータ伝送装置内のバックアップ制御部がそれぞれ、伝送状態による主伝送回線の異常検出時にバックアップ回線を通じた伝送に切替制御すると共に、第１及び第２のデータ伝送装置内の試験実行部がそれぞれ、外部装置又は対向するデータ伝送装置からのループ試験指令に応じたループ試験を実行させるようになされたデータ伝送システムにおいて、以下のようにしたことを特徴とする。
【００１３】
すなわち、バックアップ回線を通じた伝送に切替えるための主伝送回線の異常に基づく切替要件の成立時に、バックアップ回線を通じた伝送に切替るか否かを規定する切替許可情報を格納する切替許可情報格納部を各バックアップ制御部に設け、各バックアップ制御部が、格納されている切替許可情報をも参照して切替えの実行、非実行を決定すると共に、指令されたループ試験の種類に応じて、そのループ試験の開始前及び又は終了後に、バックアップ制御部内の切替許可情報格納部に格納されている切替許可情報の内容を操作する切替許可情報操作部を、各試験実行部に設け、指令されたループ試験の種類がバックアップ回線への切替構成が正常に機能するかを検出するためのローカルループ試験のときにおいて、第１のデータ伝送装置内の試験実行部は、当該第１のデータ伝送装置内の切替許可情報格納部に格納されている切替許可情報を切替許可と維持すると共に、対向する第２のデータ伝送装置内の試験実行部によって第２のデータ伝送装置内の切替許可情報格納部に格納されている切替許可情報を特殊切替許可に設定させた上、第１のデータ伝送装置内の試験実行部は、主伝送回線に接続されるデータ伝送部に所定の折り返しループを設定させ、 ローカルループ試験が終了すると、第１のデータ伝送装置内の試験実行部は、当該第１のデータ伝送装置内の切替許可情報格納部に格納されている切替許可情報を切替許可と維持させたまま、第２のデータ伝送装置内の試験実行部に試験終了を通知して第２のデータ伝送装置内の切替許可情報格納部に格納されている切替許可情報を切替許可に復帰させることを特徴とする。
【００１４】
【作用】
本発明のデータ伝送システムにおいて、試験実行部内の切替許可情報操作部は、ループ試験指令が与えられると、そのループ試験の種類に応じて、必要ならば、ループ試験の開始前に、各バックアップ制御部内の切替許可情報格納部に格納されている切替許可情報の内容を操作する。かかる後に、試験実行部は、指令されたループ試験を実行する。そして、ループ試験が終了したときに、そのループ試験の種類に応じて、必要ならば、切替許可情報操作部は、各バックアップ制御部内の切替許可情報格納部に格納されている切替許可情報の内容を操作する。
【００１５】
このようなループ試験の最中において、バックアップ回線を通じた伝送に切替えるための主伝送回線の異常に基づく切替要件が成立したときには、バックアップ制御部は、格納されている切替許可情報をも参照して切替えの実行又は非実行を決定し、その決定に従って、バックアップ回線への切替えを実行又は非実行させる。
【００１６】
これにより、ループ試験途中におけるバックアップ回線への切替を阻止したい場合には阻止でき、また、バックアップ回線の切替が必要なループ試験であれば切替を実行できるようになる。
【００１７】
【実施例】
以下、本発明によるバックアップ機能付きのデータ伝送システムの一実施例を図面を参照しながら詳述する。ここで、図１がこの実施例の全体構成を示すブロック図であり、上述した図２との同一、対応部分には同一符号を付して示している。
【００１８】
図１において、この実施例のデータ伝送システムも、データを送受信するデータ端末（ＤＴＥ）１Ａ、１Ｂと、専用回線３及びバックアップ回線としてのＩＳＤＮ回線４を収容している専用回線データ伝送装置２Ａ、２Ｂとでなる。
【００１９】
また、この実施例の各専用回線データ伝送装置２Ａ、２Ｂもそれぞれ、専用回線３を収容して専用回線３と授受する送受信データの変復調機能を担うモデム部１０Ａ、１０Ｂと、ＩＳＤＮ回線４を収容してＩＳＤＮ回線４と授受する送受信データのプロトコル変換機能を担うターミナルアダプタ部１１Ａ、１１Ｂと、収容しているデータ端末１Ａ、１Ｂをモデム部１０Ａ、１０Ｂ又はターミナルアダプタ部１１Ａ、１１Ｂに接続させる使用回線切替部１２Ａ、１２Ｂと、専用回線３の異常を監視して異常時にＩＳＤＮ回線４への切替動作を起動させるバックアップ制御部１３Ａ、１３Ｂと、各種のループ試験を実行する試験実行部１５Ａ、１５Ｂと、試験パターン等の試験情報をメイン伝送経路に挿入したり取り出したりする試験情報挿脱部１６Ａ、１６Ｂとを備えており、一方の専用回線データ伝送装置２Ａはさらにネットワーク管理装置５とのインタフェース機能を担う制御部１４を備えている。
【００２０】
しかし、この実施例においては、各バックアップ制御部１３Ａ、１３Ｂが、切替許可フラグＦＬＧの格納部１３Ａ−１、１３Ｂ−１を有すると共に、各試験実行部１５Ａ、１５Ｂがこの切替許可フラグＦＬＧの操作部１５Ａ−１、１５Ｂ−１を有しており、この点が従来のデータ伝送システムとは異なっている。そのため、各バックアップ制御部１３Ａ、１３Ｂの動作や、各試験実行部１５Ａ、１５Ｂの動作も、従来とは若干異なったものとなっている。
【００２１】
各バックアップ制御部１３Ａ、１３Ｂは、ハードウェア構成及びソフトウェア構成のいずれで実現されていても良いが、ここでは、ソフトウェア構成で実現されているものとする。各バックアップ制御部１３Ａ、１３Ｂは、例えば、図３に示す監視処理ルーチンを所定周期で起動するようになされている。
【００２２】
各バックアップ制御部１３Ａ、１３Ｂは、かかる監視処理ルーチンに入ると、まず、保有する２ビット構成の切替許可フラグＦＬＧの内容を判定する（ステップ１００）。
【００２３】
切替許可フラグＦＬＧの内容としては、切替要件の完全な成立時にはＩＳＤＮ回線４へのバックアップ動作を実行させる「切替許可」と、切替要件の一部成立時にもＩＳＤＮ回線４へのバックアップ動作を実行させる「特殊切替許可」と、切替要件が成立していてもＩＳＤＮ回線４へのバックアップ動作を実行させない「切替禁止」とがある。
【００２４】
発呼側のバックアップ動作を行なう装置におけるバックアップ回線への切替要件は、例えば、自己のモデム部１０Ａ、１０Ｂから切替動作を起動する通知がなされたことであり、着呼側のバックアップ動作を行なう装置におけるバックアップ回線への切替要件は、専用回線３を介した伝送状態（ＣＤ信号がオンの状態）でＩＳＤＮ回線４を介した相手装置からの着呼を検出したことである。モデム部１０Ａ、１０Ｂからの切替動作を起動する通知としては、例えば、ＣＤ信号、ＣＳ（送信可）信号又はＳＱＤ（データ信号品質検出）信号のオンからオフへの変化が該当する。
【００２５】
切替許可フラグＦＬＧの内容が「切替禁止」であれば、直ちに今回の監視処理ルーチンを終了する。
【００２６】
切替許可フラグＦＬＧの内容が「切替許可」であれば、切替要件が完全に成立しているか否かをさらに判定する（ステップ１０１）。成立してなければ、今回の監視処理ルーチンを終了する。一方、成立しているときには、ＩＳＤＮ回線４への切替え（リンク確立、その回線を用いた通信）を実行して今回の監視処理ルーチンを終了する（ステップ１０２）。
【００２７】
切替許可フラグＦＬＧの内容が「特殊切替許可」であれば、切替要件が完全に成立しているか否か、又は、所定の一部の切替要件が成立しているか否かを判定する（ステップ１０３）。共に成立していなければ、今回の監視処理ルーチンを終了する。一方、切替条件が完全に成立しているとき、又は、所定の一部の切替要件が成立しているときには、ＩＳＤＮ回線４への切替え（リンク確立、その回線を用いた通信）を実行して今回の監視処理ルーチンを終了する（ステップ１０４）。ここで、所定の一部の切替要件が成立している場合とは、専用回線３を介した伝送が今まで行われていない状態（ＣＤ信号がオフの状態）でＩＳＤＮ回線４を介した相手装置からの着呼を検出した場合が該当する。
【００２８】
この実施例における各試験実行部１５Ａ、１５Ｂはそれぞれ、試験パターンやタイミング信号の発生構成を除き、ソフトウェア構成で実現されているものとする。各試験実行部１５Ａ、１５Ｂは、制御部１４又は対向する専用回線データ伝送装置２Ａ側から試験実行指令が与えられると、図４に示す試験処理ルーチンを起動するようになされている。
【００２９】
各試験実行部１５Ａ、１５Ｂは、かかる試験処理ルーチンに入ると、与えられた試験実行指令の内容に応じて、対応するバックアップ制御部１３Ａ、１３Ｂの切替許可フラグＦＬＧの内容を設定する（ステップ２００）。そして、所定の試験動作を実行後、対応するバックアップ制御部１３Ａ、１３Ｂの切替許可フラグＦＬＧの内容を、非試験時用の内容、すなわち、「切替許可」に戻して一連の処理を終了する（ステップ２０１、２０２）。
【００３０】
次に、実施例のデータ伝送システムの試験を実行しない通常時の動作について説明する。
【００３１】
常時は、専用回線データ伝送装置２Ａ、２Ｂ内の試験情報挿脱部１６Ａ、１６Ｂ及び使用回線切替部１２Ａ、１２Ｂを介して、外部のデータ端末１Ａ、１Ｂがモデム部１０Ａ、１０Ｂに接続されており、また、各バックアップ制御部１３Ａ、１３Ｂ内に保有されている切替許可フラグＦＬＧは共に、「切替許可」になっている。
【００３２】
専用回線３を介したデータ伝送の実行中において専用回線３に回線断や回線品質異常が生じると、モデム部（ここでは１０Ａとする）がバックアップ制御部１３Ａに回線異常を通知する。バックアップ制御部１３Ａは、所定周期で切替条件の成立を監視しているが（図３の処理ルーチン）、この場合には、切替許可フラグＦＬＧが「切替許可」になっているので、その通知を受信して切替条件が成立したことを判定し、モデム部１０Ａを制御して専用回線３を用いた伝送動作を終了させると共に、ターミナルアダプタ部１１Ａを制御してバックアップ回線であるＩＳＤＮ回線４に対するダイヤル動作からのリンク確立動作を実行させ、ＩＳＤＮ回線４上でリンクが確立すると、バックアップ制御部１３Ａは、使用回線切替部１２Ａを制御して、データ端末１Ａとターミナルアダプタ部１１Ａとを接続させてＩＳＤＮ回線４を介したデータ伝送を実行させる。
【００３３】
一方、対向する専用回線データ伝送装置２Ｂにおいては、ターミナルアダプタ部１１Ｂが着呼を検出する。バックアップ制御部１３Ｂも、所定周期で切替条件の成立を監視しているが（図３の処理ルーチン）、この場合には、切替許可フラグＦＬＧが「切替許可」になっているので、その着呼通知を受信して切替条件が成立したことを判定し、モデム部１０Ｂを制御して専用回線３を用いた伝送動作を終了させると共に、ターミナルアダプタ部１１Ｂを制御してその着呼に応じたＩＳＤＮ回線４に対するリンク確立動作を実行させ、ＩＳＤＮ回線４上でリンクが確立すると、バックアップ制御部１３Ｂは、使用回線切替部１２Ｂを制御して、データ端末１Ｂとターミナルアダプタ部１１Ｂとを接続させてＩＳＤＮ回線４を介したデータ伝送を実行させる。
【００３４】
次に、実施例のデータ伝送システムにおけるリモートループ試験時の動作について説明する。
【００３５】
ネットワーク管理装置５からのリモートループ試験指令が制御側となる専用回線データ伝送装置２Ａの制御部１４に与えられると、制御部１４はその指令を試験実行部１５Ａに与えてリモートループ試験を起動する。このとき、試験実行部１５Ａは、そのリモートループ試験指令に応じて、バックアップ制御部１３Ａ内に保有されている切替許可フラグＦＬＧを「切替禁止」に設定すると共に、試験情報挿脱部１６Ａ、使用回線切替部１２Ａ、モデム部１０Ａ、専用回線３、モデム部１０Ｂ、使用回線切替部１２Ｂ及び試験情報挿脱部１６Ｂを介して対向する試験実行部１５Ｂに試験内容を通知し、試験実行部１５Ｂによってバックアップ制御部１３Ｂ内に保有されている切替許可フラグＦＬＧを「切替禁止」に設定させ、また、試験実行部１５Ｂによって、所定の折り返しループを設定させる。その後、制御側の専用回線データ伝送装置２Ａにおける試験実行部１５Ａは、試験パターンの送出、受信、照合等の試験を実行させる。リモートループ試験が終了すると、制御側の専用回線データ伝送装置２Ａにおける試験実行部１５Ａは、バックアップ制御部１３Ａ内に保有されている切替許可フラグＦＬＧを「切替許可」に復帰させると共に、対向する試験実行部１５Ｂに試験終了を通知してバックアップ制御部１３Ｂ内に保有されている切替許可フラグＦＬＧも「切替許可」に復帰させる。
【００３６】
以上のようなリモートループ試験の最中において、専用回線３にＩＳＤＮ回線（バックアップ回線）４への切替要件を満たす異常が生じると、バックアップ制御部１３Ａに、異常発生が通知される。しかし、バックアップ制御部１３Ａは、保有している切替許可フラグＦＬＧが「切替禁止」に設定されているため、ＩＳＤＮ回線４への切替え動作を実行しない。これにより、専用回線３の異常に伴う異常な試験結果が試験実行部１５Ａに得られ、ネットワーク管理装置５を操作しているネットワーク管理者に、専用回線３に対する異常を表す正確な試験結果が提供される。
【００３７】
次に、実施例のデータ伝送システムにおけるローカルループ試験時の動作について説明する。ローカルループ試験の種類としては、種々のものがあるが、以下では、バックアップ回線への切替構成が正常に機能するかを検出するためのローカルループ試験時の動作について説明する。なお、ＩＴＵ勧告Ｖ．５４には、このようなローカルループ試験は規定されていないが、ダイヤルバックアップ機能を有するデータ伝送システムにおいては、バックアップ回線への切替機能は重要であるので、このような試験の実行機能が設けられていることが多い。
【００３８】
ネットワーク管理装置５からの上記のようなローカルループ試験指令が専用回線データ伝送装置２Ａの制御部１４に与えられると、制御部１４はその指令を試験実行部１５Ａに与えてローカルループ試験を起動する。このとき、試験実行部１５Ａは、そのローカルループ試験指令に応じて、バックアップ制御部１３Ａ内に保有されている切替許可フラグＦＬＧの「切替許可」という内容を維持すると共に、試験情報挿脱部１６Ａ、使用回線切替部１２Ａ、モデム部１０Ａ、専用回線３、モデム部１０Ｂ、使用回線切替部１２Ｂ及び試験情報挿脱部１６Ｂを介して対向する試験実行部１５Ｂに試験内容を通知し、試験実行部１５Ｂによってバックアップ制御部１３Ｂ内に保有されている切替許可フラグＦＬＧを「特殊切替許可」に設定させる。また、試験実行部１５Ａは、その後、モデム部１０Ａに所定の折り返しループを設定させる。
【００３９】
その後、専用回線データ伝送装置２Ａにおける試験実行部１５Ａは、回線切替を実行させるような試験情報を試験情報挿脱部１６Ａに出力させる。例えば、回線品質異常として取り扱われるような試験パターンを送出する。このような試験情報によって、モデム部１０Ａは回線異常の検出処理を行なって、バックアップ制御部１３Ａ側に異常発生を通知する。上述したように、バックアップ制御部１３Ａは、保有している切替許可フラグＦＬＧが「切替許可」に設定されているため、ＩＳＤＮ回線４への切替え動作を起動する。
【００４０】
この起動によってターミナルアダプタ部１１ＡからのＩＳＤＮ回線４側への発呼が行なわれ、着呼を検出した対向する専用回線データ伝送装置２Ｂのターミナルアダプタ部１１Ｂはそのことをバックアップ制御部１３Ｂ側に通知する。上述したように、バックアップ制御部１３Ｂは、保有している切替許可フラグＦＬＧが「特殊切替許可」に設定されているため、専用回線３上のキャリア検出がないにも拘らず（ローカルループ試験のために、切替の前提となる専用回線３を利用した通信がないにも拘らず）、ターミナルアダプタ部１１Ｂの着呼に応じたリンク確立動作を実行させる。
【００４１】
専用回線データ伝送装置２Ａにおける試験実行部１５Ａは、回線切替を実行させるような試験情報を出力させた後、所定時間後に、バックアップ制御部１３Ａ又はターミナルアダプタ部１１Ａからリンク確立状態を取込み、回線切替が正常に実行されたか否かを認識する。このようにして、回線切替の正常性を確認するローカルループ試験が終了すると、試験実行部１５Ａは、バックアップ制御部１３Ａ内に保有されている切替許可フラグＦＬＧを「切替許可」を維持させたまま、対向する試験実行部１５Ｂに試験終了を通知してバックアップ制御部１３Ｂ内に保有されている切替許可フラグＦＬＧを「切替許可」に復帰させる。
【００４２】
因に、専用回線データ伝送装置２Ｂのバックアップ制御部１３Ｂ内に保有されている切替許可フラグＦＬＧを「切替許可」のままで、又は、フラグを用いることなく、回線切替の正常性を確認するローカルループ試験を実行しようとすると、専用回線３上のキャリア検出がないので（ローカルループ試験のために、切替の前提となる専用回線３を利用した通信がないので）、着呼に応じたリンク確立動作がターミナルアダプタ部１１Ｂによって実行されず、常に、回線切替失敗という結果が得られる。
【００４３】
以上のように、上記実施例によれば、試験実行部がバックアップ制御部によるバックアップ動作の実行、非実行を制御できるようにしたので、試験途中におけるバックアップ回線への切替を阻止したい場合には阻止できるようになり、また、バックアップ回線の切替が必要な試験であれば切替を実行できるようになり、ダイヤルバックアップ機能の存在に拘らず、試験を適切に実行できて試験時の回線状態等を正確に反映させた試験結果を得ることができる。
【００４４】
なお、上記実施例においては、ループ試験指令をネットワーク管理装置が出力するものを示したが、データ端末がループ試験指令を送出するデータ伝送システムにも本発明を適用することができる。
【００４５】
また、上記実施例においては、ネットワーク管理装置と接続している専用回線データ伝送装置がループ試験の制御側となる場合を説明したが、ネットワーク管理装置に接続されていない専用回線データ伝送装置が制御側となって実行するループ試験に対しても、本発明を適用することができる。
【００４６】
さらに、上記実施例においては、バックアップ制御部の切替許可フラグの操作は、同一の専用回線データ伝送装置内の試験実行部ができるものを示したが、対向する専用回線データ伝送装置の試験実行部ができるようにしても良い。特許請求の範囲の文言は、この場合を含むか明確ではないが、特許請求の範囲に記載の発明は、この場合を含むものとする。
【００４７】
さらにまた、本発明は、試験実行部がバックアップ制御部の切替動作の許可、禁止をループ試験の種類によって制御し得ることに特徴を有し、そのため、ループ試験の種類は上記実施例のものに限定されない。例えば、リモート側のデータ端末で折返すようなループ試験時に、試験実行部がバックアップ制御部の切替動作の許可、禁止を制御するようにしても良い。また、ループ試験の種類によっては、一方の専用回線データ伝送装置内の切替許可フラグのみを操作するようにしても良い（特許請求の範囲の表現はこの場合をも含むものとする）。
【００４８】
【発明の効果】
以上のように、本発明によれば、バックアップ回線を通じた伝送に切替えるための主伝送回線の異常に基く切替要件の成立時に、バックアップ回線を通じた伝送に切替るか否かを規定する切替許可情報の格納部を各バックアップ制御部内に設け、各バックアップ制御部が、格納されている切替許可情報をも参照して切替えの実行、非実行を決定すると共に、指令されたループ試験の種類に応じて、そのループ試験の開始前及び又は終了後に、各バックアップ制御部内の切替許可情報格納部に格納されている切替許可情報の内容を操作する切替許可情報操作部を、各試験実行部内に設けたので、ループ試験途中におけるバックアップ回線への切替を阻止したい場合には阻止でき、また、バックアップ回線の切替が必要なループ試験であれば切替を実行でき、ダイヤルバックアップ機能の存在に拘らず、ループ試験で適切に実行できてループ試験時の回線状態等を正確に反映させた試験結果を得ることができるようになる。
【図面の簡単な説明】
【図１】実施例の構成を示すブロック図である。
【図２】従来の構成を示すブロック図である。
【図３】実施例のバックアップ制御部の処理フローチャートである。
【図４】実施例の試験実行部の処理フローチャートである。
【符号の説明】
１Ａ、１Ｂ…データ端末（ＤＴＥ）、２Ａ、２Ｂ…専用回線データ伝送装置（ＤＣＥ）、３…専用回線、４…ＩＳＤＮ回線（バックアップ回線）、１２Ａ、１２Ｂ…使用回線切替部、１３Ａ、１３Ｂ…バックアップ制御部、１３Ａ−１、１３Ｂ−１…切替許可フラグ格納部、１５Ａ、１５Ｂ…試験実行部、１５Ａ−１、１５Ｂ−１…切替許可フラグ操作部。
【図１】
0003669739.tif 000002
【図２】
0003669739.tif 000003
【図３】
0003669739.tif 000004
【図４】
0003669739.tif 000005